(57)【要約】      （修正有）【課題】実施される手術の手順に応じてベースユニットに取り付けられる種々の形態の天板を有し得る脊椎専用手術台を提供する。【解決手段】患者支持装置１０は、タワー基部１２のような一対の端部支持体と、患者支持天板１４と、タワー基部１２にそれぞれ接続された一対の支持取付具１６とを備え、天板１４を床の上方において支持するために、患者支持天板１４に選択的に接続されるように構成されている。患者支持天板１４は、長手方向の両端部に、各支持取付具１６のキャッチアセンブリと選択的に接続させるための接続管２０を有する接続器アセンブリ１８を備える。【選択図】図１
2018020093.tif 000002
【特許請求の範囲】
【請求項１】
端部にコネクタを備える患者支持天板と、
前記患者支持天板を支持するように構成された端部支持体と、
前記患者支持天板の前記コネクタに選択的に接続されるように構成されたキャッチアセンブリを有し、前記端部支持体に接続される支持取付具であって、前記キャッチアセンブリは前記コネクタを受ける受け口と、前記コネクタの前記受け口からの脱離を選択的に防止するラッチアセンブリとを備え、前記受け口は、前記患者支持天板の前記コネクタを受ける導入開口部を備える支持取付具と、
を備える患者支持装置。
【請求項２】
前記ラッチアセンブリが、前記導入開口部から前記ラッチが外されて、前記受け口が前記コネクタを受領可能な状態にある第１の位置と、前記コネクタが前記受け口から脱離しないように前記ラッチが前記導入開口部の少なくとも一部を横切る第２の位置との間で動作可能なラッチを備える、請求項１に記載の患者支持装置。
【請求項３】
前記支持取付具が、前記キャッチアセンブリと接続するブラケットを備え、該ブラケットが、前記端部支持体で固定された状態で、前記キャッチアセンブリを選択的に枢動させて、前記患者支持天板との選択的接続を補助する傾斜アセンブリを備える、請求項１に記載の患者支持装置。
【請求項４】
前記傾斜アセンブリが、前記端部支持体で固定されキャッチアセンブリの選択的枢動が可能なように前記ブラケットのレールに取り付けられた解放ゲートと、前記解放ゲートに対して前記レールを枢動させることができるアンラッチ状態と、前記解放ゲートに対して前記レールの枢動を防止するラッチ状態とに操作可能な傾斜ロックアセンブリとを備える、請求項３に記載の患者支持装置。
【請求項５】
前記傾斜ロックアセンブリが、前記レールおよび前記解放ゲートのいずれか一方に回転可能に取り付けられたロックシャフトであって、前記レールおよび前記解放ゲートの両方と係合して相対的枢動ができないロック位置と、前記レールおよび前記解放ゲートの他方と少なくとも部分的に係合を解除して相対枢動が可能なアンロック位置との間で動作可能なロックシャフトを備える、請求項４に記載の患者支持装置。
【請求項６】
前記傾斜ロックアセンブリが、前記レールおよび前記解放ゲートの他方に画定されたロックスロットであって、ロックホームと、前記ロックホームから所定の長さ伸張する枢動経路とを有するロックスロットを備える、請求項５に記載の患者支持装置。
【請求項７】
前記枢動経路の前記長さが、前記解放ゲートに対する前記レールの枢動に対応する曲率を有する、請求項６に記載の患者支持装置。
【請求項８】
前記ロックシャフトが、前記ロックスロット内に伸張し前記アンロック位置でのみ、前記枢動経路内を相対移動できるように、前記ロックスロットと相互に対応して形成される、請求項５に記載の患者支持装置。
【請求項９】
前記ロックシャフトが非円形断面を有する、請求項８に記載の患者支持装置。
【請求項１０】
前記ロックシャフトが、前記ロックスロット内に伸張し、前記ロック位置での前記ロックシャフトの前記枢動経路内への相対的進入を防止するように、前記ロックシャフトと前記ロックスロットとが相互に対応して形成される、請求項６に記載の患者支持装置。
【請求項１１】
前記ロックシャフトが、前記ロックスロット内に伸張し、前記ロックシャフトが前記ロックホーム内に配置された場合にのみ、前記ロックシャフトが選択的に枢動できるように、前記ロックシャフトと前記ロックスロットとが相互に対応して形成される、請求項６に記載の患者支持装置。
【請求項１２】
前記キャッチアセンブリが、該キャッチアセンブリの前記ブラケットに対する相対位置を選択的に定めるように構成された歯止めを有する歯止めアセンブリを備え、前記歯止めが、ロック位置とアンロック位置との間で動作可能な支持取付具であって、前記歯止めが、歯止め端部と、該歯止め端部から伸張して前記ブラケットと係合する歯止めヘッドとを有するレバーを備える、請求項１に記載の支持取付具。 
【請求項１３】
前記ブラケットが、前記歯止めヘッドと係合して前記キャッチアセンブリの前記ブラケットに対する相対位置を選択的に定めるように、連続的に配置された複数の歯を有する歯止めトラックを備える、請求項１２に記載の支持取付具。
【請求項１４】
前記歯止めヘッドが、隣接する歯の間に画定された歯止め空間内に選択的に受領され、前記キャッチアセンブリの取り外しがない場合は、前記隣接する歯によって、前記歯止めヘッドの前記歯止め空間からの脱離が防止される、請求項１３に記載の支持取付具。
【請求項１５】
前記レバーが前記歯止めを前記ロック位置と前記アンロック位置とを替えるように枢動し、前記隣接する歯によって画定される前記歯止め空間が前記歯止めヘッドを、該歯止めヘッドと前記隣接する歯のいずれかとの接触がなくなるように前記レバーの前記枢動運動を調整する前記歯止め空間の中間に位置せしめて、前記歯止めが前記アンロック位置になるように、前記歯止めの前記レバーの枢動運動が前記隣接する歯によって画定される前記歯止め空間と対応する、請求項１４に記載の支持取付具。
【発明の詳細な説明】
【技術分野】
【０００１】
関連出願の相互参照
本願は米国特許法第１１９条に基づき、２０１６年６月１４日出願の米国仮特許出願第６２／３４９７８９号、および２０１６年７月１日出願の米国仮特許出願第６２／３５７４２９号の利益を主張するものであり、その内容は、参照によりその全体が本明細書に組み込まれるものとし、少なくともその一部は患者支持システム、方法、ならびに装置を対象とする。
【０００２】
本開示は、患者を支持する装置、システム、および方法に関し、特に、外科患者を支持する装置、システム、および方法に関する。
【背景技術】
【０００３】
外科手術用支持台などの患者支持体は、患者の身体の種々の部位を支持する。患者支持体の天板を多様に配置することにより、患者の身体における種々の部位に接近することができる。さらに、各種天板は、様々な患者の外科的ニーズ、外科チームの種々の技術および／もしくは手順、ならびに／または選好に対応することができる。脊椎専用手術台はベースユニットと、実施される手術の手順に応じてベースユニットに取り付けられる種々の形態の天板を有し得る。
【発明の概要】
【発明が解決しようとする課題】
【０００４】
本願は、添付の特許請求の範囲において挙げる１つまたは複数の特徴、および／または単独、または任意の組み合わせにおいて特許され得る主題を含む以下の特徴を開示する。
【課題を解決するための手段】
【０００５】
本開示の一態様によれば、上部取付型患者支持装置は、例えば、長手方向端部に配置されたコネクタを備える患者支持天板と、患者支持天板を支持するように構成された端部支持体とを備える。支持ブラケットが端部支持体に接続されていてもよい。キャッチアセンブリが、患者支持天板のコネクタを選択的に受けるように支持ブラケットに接続されていてもよい。キャッチアセンブリは、両端部間に伸張する本体と、本体から伸張する一対のキャッチ保持体とを備えてもよい。キャッチ保持体の各々は、キャッチ体と、キャッチ体から伸張して患者支持天板のコネクタを受ける開放上端部を有する受け口を画定するキャッチアームとを備えてもよい。キャッチアセンブリは、ラッチを有し得るラッチアセンブリを備えてもよい。このラッチは、受け口の開放上端部からラッチを後退させる第１の位置と、ラッチが受け口の開放上端部を少なくとも一部横切ってコネクタが受け口から脱離するのを防止する第２の位置との間で動作可能であってもよい。
【０００６】
ラッチが、キャッチ保持体の内側に枢動可能に取り付けられる実施形態でもよい。キャッチ体はそれぞれ、上面を備えてもよく、対応するキャッチアームは側面を有してもよい。各キャッチ保持体の対応する上面と側面とが、受け口の少なくとも一部を画定してもよい。各ラッチが、ラッチ受け口を画定する上面と側面とを備えてもよい。ラッチが第２の位置にある場合、ラッチの上面はキャッチ体の上面と位置合わせされて、患者支持天板のコネクタと係合する連続面を形成してもよい。ラッチが第２の位置にある場合は、ラッチの側面がキャッチ体の側面と位置合わせされて連続面を形成するような実施形態も可能である。
【０００７】
ラッチが第２の位置にある場合に、ラッチが開放上端部を少なくとも一部横切って突出する端面を備えるような実施形態も可能である。この端面は、ラッチが第１の位置にある場合には、必要に応じて、開放上端部と位置合わせしなくてもよい。ラッチアセンブリが、ラッチを第２の位置に付勢させるよう構成されたばねを備える実施形態も可能である。キャッチアセンブリが、キャッチアセンブリを支持ブラケットに対して相対位置に選択的に定める歯止めを備える歯止めアセンブリを備える実施形態も可能である。歯止めは、例えばロック位置とアンロック位置との間で動作可能であってもよい。
【０００８】
歯止めがレバーを備え、このレバーが、枢動端部と、枢動端部とは反対側の自由端部と、自由端部から伸張して支持ブラケットの歯と係合する歯止めヘッドとを有する実施形態も可能である。支持ブラケットが、歯止めヘッドと係合するように連続して配置される複数の歯を有する歯止めトラックを備える実施形態も可能である。各歯は平坦面と、平面に対向する曲面とを備えていてもよい。複数の歯のうちのある１つの歯の平坦面は、隣接歯の曲面と協働して、歯止めヘッドを受ける歯止め空間を画定してもよい。
【０００９】
歯止めヘッドが歯止め空間内に選択的に収容される実施形態も可能である。歯止めヘッドは、対応する歯の曲面または平坦面のいずれかと接触している間は、歯止め空間から脱離しないようになっていてもよい。歯止めヘッドが三角形状を有する実施形態も可能である。
【００１０】
本開示の別態様によれば、上部取付型患者支持装置は、例えば、長手方向端部にコネクタを有する患者支持天板と、患者支持天板を支持するように構成された一対の端部支持体と、キャッチ装置およびラッチアセンブリを有し、端部支持体の一方に取り付けられるキャッチアセンブリとを備える。キャッチ装置は、キャッチハウジングと、キャッチハウジングから伸張する支持アームとを備えてもよい。支持アームは、患者支持天板のコネクタを受け取り可能な開放上端部を有する受け口を画定している上面を備えてもよい。ラッチアセンブリは、キャッチハウジングに接続され得るラッチを備えてもよい。このラッチは、枢動軸線周りに枢動して、受け口の開放上端部からラッチを後退させた第１の位置と、ラッチが受け口の開放上端部を少なくとも一部横断してコネクタが受け口から脱離するのを防止する第２の位置との間で枢動可能となっている。
【００１１】
キャッチハウジングが本体と、本体に取り付けられるように構成されたカバーとを備える実施形態も可能である。本体が内部を画定し、その内部でラッチを受けてもよい。ラッチは、一端でキャッチハウジングに枢動可能に接続された幹部を有するラッチ体を備えてもよい。ラッチの枢動平面内に、タブが軸から伸張していてもよい。いくつかの実施形態では、第１の位置では、タブが本体の内部に位置し、第２の位置では、受け口の開放上端部を少なくとも一部横切って本体から突出してコネクタが受け口から脱離するのを防止するように構成された実施形態も可能である。
【００１２】
また、使用者が第１および第２の位置間でラッチを枢動させる力を、幹部が受け取るように構成された実施形態も可能である。ラッチアセンブリは、必要に応じて、ラッチを第２の位置に付勢するように構成された弾性部材を備えてもよい。タブが、傾斜した上面を備え、この傾斜した上面が、患者支持天板のコネクタと接触して、第２の位置から第１の位置に向かってラッチを枢動させてコネクタが受け口の開放上端部を通過することができるように構成されている実施形態も可能である。あるいは、またはさらに、タブが患者支持天板のコネクタと接触するように構成された下面を有してもよく、この下面はコネクタとの接触によって第２の位置から第１の位置へとラッチが枢動してコネクタが受け口から脱落しないように、旋回軸線から半径方向外側を向いている。
【００１３】
支持アームの上面がＵ字形状を有する実施形態であってもよい。受け口の開放上端部が、患者支持天板のコネクタを受け口内に挿入できるような大きさを有するような実施形態も可能である。
【００１４】
本開示の別実施態様によれば、患者支持装置は一端に配置されたコネクタを有する患者支持天板と、患者支持天板を支持するように構成された端部支持体と、端部支持体に接続された支持取付具とを備えてもよい。支持取付具は、患者支持天板のコネクタに選択的に接続されるように構成されたキャッチアセンブリを備えてもよい。キャッチアセンブリは、コネクタを収容する受け口を備えてもよい。キャッチアセンブリは、コネクタが受け口から脱離するのを選択的に防止するラッチアセンブリを備えてもよい。受け口は、患者支持天板のコネクタを受け口で収容するための導入開口部を備えてもよい。
【００１５】
ラッチアセンブリはラッチを備え、導入開口部からラッチを外してコネクタを受け口で保持可能な第１の位置と、ラッチが導入開口部を少なくとも一部横切ってコネクタが受け口から脱離するのを防止する第２の位置との間で動作可能に構成された実施形態も可能である。支持取付具が、ブラケットを備え、キャッチアセンブリがブラケットに接続されるような実施形態も可能である。ブラケットは、端部支持体で固定された状態で、キャッチアセンブリを選択的に枢動して、患者支持天板との選択的接続を補助する傾斜アセンブリを備えてもよい。
【００１６】
傾斜アセンブリが、端部支持体で固定されキャッチアセンブリを選択的に枢動するようにブラケットのレールに取り付けられた解放ゲートを備える実施形態も可能である。傾斜アセンブリが、解放ゲートに対してレールを枢動させることができるアンラッチ状態と、解放ゲートに対してレールの枢動を防止するラッチ位置との間で動作可能な傾斜ロックアセンブリを備えてもよい。
【００１７】
傾斜ロックアセンブリが、レールおよび解放ゲートのうちのいずれか一方に回転可能に取り付けられたロックシャフトを備える実施形態も可能である。ロックシャフトは、レールおよび解放ゲートの両方と係合して相対枢動ができないロック位置と、レールおよび解放ゲートのもう一方と少なくとも部分的に係合を解除して相対枢動が可能となるアンロック位置との間で動作可能であってもよい。傾斜ロックアセンブリが、レールおよび解放ゲートのもう一方に画定されたロックスロットを備える実施形態も可能である。
【００１８】
ロックスロットが、ロックホームと、ロックホームから所定の長さ伸張する枢動経路とを有するような実施形態も可能である。この枢動経路の長さが、解放ゲートに対するレールの枢動に対応して曲率を有するような実施形態も可能である。ロックシャフトが、ロックスロット内に伸張する実施形態も可能である。ロックシャフトが、アンロック位置でのみ、枢動経路内を相対移動できるように、ロックシャフトとロックスロットとを相互に対応して形成してもよい。ロックシャフトが非円形断面を有する実施形態も可能である。ロックシャフトが豆形断面を有する実施形態であってもよい。
【００１９】
ロックシャフトがロックスロット内に伸張するような実施形態も可能である。
ロック位置では、シャフトの枢動経路内への相対的進入を防止するようにロックシャフトとロックスロットとを相互に対応して形成してもよい。ロックスロットがロックホーム内に配置された場合にのみ、ロックシャフトが選択的に枢動できるようにロックシャフトとロックスロットとが相互に対応して形成される実施形態も可能である。
【００２０】
本開示の別実施態様によれば、患者支持装置の端部支持体を患者支持装置の患者支持天板のコネクタに取り付けるための患者支持装置の支持取付具は、例えば、端部支持体に接続されるように構成されたブラケットと、患者支持天板のコネクタを受ける受け口を有し、ブラケットに取り付けられるキャッチアセンブリと、ブラケットに枢動可能に接続された解放ゲートを備える傾斜アセンブリとを備える。傾斜アセンブリは、解放ゲートに対するブラケットの枢動を可能にするアンロック状態と、解放ゲートに対するブラケットの枢動を阻止するロック状態とで動作可能な傾斜ロックアセンブリを備えてもよい。キャッチアセンブリが、コネクタの受け口からの脱離を選択的に防止するラッチアセンブリを備える実施形態も可能である。
【００２１】
キャッチアセンブリが、キャッチアセンブリのブラケットに対する相対位置を選択的に定めるように構成された歯止めを有する歯止めアセンブリを備える実施形態も可能である。歯止めが、ロック位置とアンロック位置との間を動作可能であってもよい。
【００２２】
歯止めが、歯止め端部と、歯止め端部から伸張してブラケットと係合する歯止めヘッドとを有するレバーを備える実施形態も可能である。ブラケットが、歯止めヘッドと係合してキャッチアセンブリのブラケットに対する相対位置を選択的に定めるように連続的に配置された複数の歯を有する歯止めトラックを備える実施形態も可能である。いくつかの実施形態では、各歯が、第１の表面と、第１の表面に対向する第２の表面とを備えていてもよい。複数の歯の１つの歯の第１の表面が、隣接する歯の第２の表面と協働して、歯止めヘッドを受けてキャッチアセンブリの位置を選択的に定める歯止め空間を画定してもよい。
【００２３】
歯止めヘッドが歯止め空間内に選択的に収容される実施形態も可能である。キャッチアセンブリを取り外さない場合は、歯止めヘッドが、対応する歯の第１の表面および第２の表面のうちの少なくとも一方が、歯止め空間から脱離防止してもよい。
【００２４】
レバーが枢動して、歯止めをロック位置とアンロック位置とになるように枢動可能に構成された実施形態も可能である。歯止めヘッドを、歯止めヘッドと第１の表面および第２の表面のいずれかとの接触がなくなるようにレバーの枢動運動を調整する歯止め空間内の中間に配置せしめて、歯止めがアンロック位置におくことができるように、歯止めのレバーによる枢動運動が第１および第２の表面によって画定される歯止め空間と対応するよう構成してもよい。歯止めがロック位置にある状態で、キャッチアセンブリをブラケットに沿って並進させることにより、歯止めヘッドを歯止め空間の中間に配置する実施形態も可能である。
【００２５】
支持取付具が、ブラケットを端部支持体に接続する傾斜部を備える実施形態も可能である。傾斜部は、支持ブラケットにスライド可能に配置され、端部支持体との係合を可能にする係止ピンを備えてもよい。係止ピンは、ブラケットから突出して端部支持体と係合するロック位置と、ブラケット内に後退するアンロック位置との間を動作可能であってもよい。
【００２６】
傾斜部は、安全ピンと、安全ピンを受けるピンスロットとを有する安全ラッチアセンブリを備える実施形態も可能である。安全ピンは、第１の径を有する第１の部分を備えてもよく、第１の径より大きい第２の径を有する第２の部分を備えてもよい。
【００２７】
いくつかの実施形態では、ピンスロットが、安全ピンの第２の部分に相補的な大きさとなっているラッチ受け口と、安全ピンの第１の部分に相補的な大きさとなっているスライド受け口とを備えてもよい。いくつかの実施形態では、安全ピンが、ラッチ受け口内に第２の部分を収容して、安全ピンがピンスロットに沿って並進するのを防止して、係止ピンのロック位置からの動作を阻止するラッチ位置と、第２の部分をラッチ受け口から外して、ピンスロットに沿った安全ピンの移動を可能にして係止ピンのロック位置からの移動を可能にするアンラッチ位置との間で動作可能であってもよい。 
【００２８】
いくつかの実施形態では、解放ゲートが、ブラケットのレールに選択的に枢動可能に取り付けられてもよく、端部支持体で固定されるように構成されてもよい。解放ゲートが傾斜ロックアセンブリを備え、傾斜ロックアセンブリは、傾斜ロックアセンブリのロック状態およびアンロック状態をそれぞれ確立するロック位置およびアンロック位置との間に配置可能なロックアウト部材を備えてもよい。
【００２９】
いくつかの実施形態では、傾斜ロックアセンブリのロックアウト部材が、レールおよび解放ゲートのうちの少なくとも一方に回転可能に配置されたロックシャフトを備えてもよい。ロックシャフトは、レールおよび解放ゲートの両方と係合して相対枢動を防止するロック位置と、相対枢動を可能にするアンロック位置との間を動作可能であってもよい。いくつかの実施形態では、傾斜ロックアセンブリが、解放ゲートおよびレールのうちの一方に画定されたロックスロットを備えてもよい。ロックスロットはロックホームと、ロックホームから所定の長さ伸張する枢動経路とを備えてもよい。
この枢動経路の長さが、解放ゲートに対するレールの枢動に対応して曲率を有するような実施形態も可能である。
【００３０】
ロックシャフトがロックスロット内に伸張するような実施形態も可能である。
ロックシャフトが、アンロック位置でのみ、枢動経路内を相対移動できるように、ロックシャフトとロックスロットとを相互に対応して形成してもよい。ロックシャフトが非円形断面を有する実施形態も可能である。ロックシャフトが豆形断面を有する実施形態であってもよい。
【００３１】
ロックシャフトがロックスロット内に伸張するような実施形態も可能である。
ロック位置では、シャフトの枢動経路内への相対的進入を防止するようにロックシャフトとロックスロットとを相互に対応して形成してもよい。ロックシャフトがロックホームに配置された場合にのみ、ロックシャフトが選択的に枢動できるように、ロックシャフトとロックスロットが相互に対応して形成されてもよい。
【００３２】
単独、または他の特徴との組み合わせにおいて上記の特徴および特許請求の範囲に記載した特徴を含む、さらなる特徴には、特許され得る主題が含まれ得る。これらの特徴は、発明を実施する上での最良の形態を例示する以下の実施形態の詳細な説明を考慮することにより当業者には明らかとなるであろう。
【図面の簡単な説明】
【００３３】
詳細な説明では、特に以下の図面を参照する。
【図１】支持ブラケットと、支持ブラケットの長さに沿って選択的に配置可能であり、かつ患者支持天板の接続管を受ける受け口を画定するキャッチアセンブリとを備える支持取付具によって患者支持天板に接続されたタワー基部を備える患者支持システムの斜視図である。
【図２】図１の患者支持システムにおける支持取付具の斜視図であって、キャッチアセンブリが上部取付型アセンブリであり、かつ患者支持天板の接続管を受ける受け口を画定する一対のキャッチ保持体を備えることを示す図である。
【図３】図１および図２の患者支持システムにおけるキャッチアセンブリの斜視図であって、キャッチ保持体がそれぞれ、ラッチ位置とアンラッチ位置との間を移動可能なラッチを備えることを示す図である。
【図４】図３に示すキャッチアセンブリの斜視図であって、患者支持天板のコネクタがキャッチ保持体の受け口に保持され、またラッチ位置にあるラッチが、受け口の開放上端部の少なくとも一部を横断してコネクタの受け口からの脱離を防止していることを示す図である。
【図５】図１〜図４のキャッチアセンブリのうちの１つを示す分解斜視図である。
【図６】図１および図２の支持取付具の斜視図であって、キャッチアセンブリが支持ブラケットの長さに沿って、選択的に配置可能であることを示す図である。
【図７】支持ブラケットのブラケットレールを透明に表現して、支持取付具が、キャッチアセンブリの支持ブラケットに対する相対位置を選択的に定める歯止めアセンブリを備えることを示す、図６の支持取付具のより詳細な斜視図である。
【図８】図１〜図７に示す支持取付具の後面斜視図であって、支持ブラケットがタワー基部の取付棒の下に間隔を空けていること、支持ブラケットが取付棒のピンを保持する傾斜スロットを備えること、および支持ブラケットが、支持ブラケットと取付棒とを接続するように取付棒の孔に挿入される、後退可能係止ピンを備えることを示す図である。
【図９】図８の支持取付具の正面斜視図であって、支持ブラケットを取付棒に取り付けるために、支持ブラケットが傾斜付けされており、後退可能な係止ピンが後退位置にある状態で、傾斜スロットが取付棒のピンと位置合わせされていることを示す図である。
【図１０】図９の支持取付具の正面斜視図であって、支持ブラケットの取付棒への取付けを完了するために、取付棒のピンが支持ブラケットの傾斜スロット内に保持され、支持ブラケットが垂直方向（図１０に示す姿勢の場合）に回転し、かつ後退可能な係止ピンが取付棒の孔内に移動して、取付棒に支持ブラケットを固定することを示す図である。
【図１１】図１０の支持取付具の斜視図であって、支持ブラケットが傾斜アセンブリを添え、支持ブラケットが取付棒に取り付けられてキャッチアセンブリと患者支持天板との接続を補助する状態で、傾斜アセンブリが支持ブラケットを枢動すること、および接続ピンを解放位置にすることによって、傾斜アセンブリの枢動が可能となることを示す図である。
【図１２】図１１の支持取付具の斜視図であって、接続管が受け口内に保持されること、および傾斜アセンブリが、接続位置に配置した接続ピンによって支持ブラケットの枢動を制限するように構成されていることを示す図である。
【図１３】図１の患者支持システムとともに使用する別の支持取付具の正面斜視図であって、支持取付具が、支持ブラケットと、支持ブラケットに取り付けられ、本体、一対のキャッチ保持体、およびラッチアセンブリを有することを示す図である。
【図１４】図１３の支持取付具の後面斜視図であって、キャッチアセンブリが、患者支持天板の接続管を保持する受け口を画定することを示す図である。
【図１５】図１３および図１４に示す支持取付具のキャッチアセンブリの正面斜視図である。
【図１６】図１３〜図１５に示す支持取付具のキャッチアセンブリの分解斜視図である。
【図１７】図１３および図１４に示す支持取付具の正面斜視図であって、患者支持天板の接続管と、接続管が受け口内に保持され、ラッチアセンブリと係合して接続管の受け口からの脱離を防止する支持取付具のキャッチアセンブリとの接続を示す図である。
【図１８】図１３および図１４に示す支持取付具の正面斜視図であって、患者支持天板の接続管と、接続管が受け口内に保持され、ラッチアセンブリと係合して接続管の受け口からの脱離を防止する支持取付具のキャッチアセンブリとの接続を示す図である。
【図１９】図１３および図１４に示す支持取付具の正面斜視図であって、患者支持天板の接続管と、接続管が受け口内に保持され、ラッチアセンブリと係合して接続管の受け口からの脱離を防止する支持取付具のキャッチアセンブリとの接続を示す図である。
【図２０】図１３、１４、および１７〜１９に示す支持取付具の斜視図であって、支持ブラケットのレールを透明に表現して、支持取付具が、キャッチアセンブリの歯止めと、支持ブランケットのラチェットとを有すること、および歯止めアセンブリが、支持ブラケットの長さに沿ってキャッチアセンブリの位置を選択的に定めるよう動作可能であることを示す図である。
【図２１】図２０の支持取付具の一部をさらに詳細に示す斜視図であって、キャッチアセンブリの歯止めがラチェットの歯と係合して、キャッチアセンブリの支持ブラケットに対する相対位置を固定すること、およびラチェットからの歯止めの脱離を制限して、キャッチアセンブリと支持ブラケットとの意図しない相対的な移動を防止することを示す図である。
【図２２】図２０の支持取付具の斜視図であって、ラチェットの隣接歯間に画定される隙間内で歯止めヘッドが浮くように、キャッチアセンブリが支持ブラケットに対して持ち上げられた状態を示す図である。
【図２３】図２２の支持取付具の斜視図であって、ラチェットの隣接歯間に画定される隙間内で歯止めヘッドが浮くように、キャッチアセンブリを支持ブラケットに対して持ち上げることで、歯止めの回転経路により、歯止めがラチェットから外れてキャッチアセンブリが支持ブラケットの長さに沿ってスライド移動できるようになることを示す図である。
【図２４】図１の患者支持装置で使用するように構成された別の支持取付具の斜視図であって、支持取付具が支持ブラケットと、患者支持天板のコネクタを保持する受け口を画定する一対のキャッチ保持体を備える下部取付型キャッチアセンブリとを備えることを示している。
【図２５】図２４に示す支持取付具のキャッチアセンブリのキャッチ保持体を示す分解斜視図であって、各キャッチ保持体が、受け部を収容し受け口とスロットとを画定するハウジングと、スロットと軸方向に位置合わせされたアームを有する係止キャッチとを備え、アームの角度位置を選択的に揃えてスロットを塞いで接続管が受け口から脱離するのを防止するか、アームとスロットとをずらして接続管がスロットを通過できるように、係止キャッチが、受け部内で回転可能であることを示す図である。
【図２６】図２４および図２５に示すキャッチアセンブリの斜視図であって、係止キャッチがスロットとずれて接続管がスロットを通過可能であることを示す図である。
【図２７】図２６に示すキャッチアセンブリの斜視図であって、受け口内に保持された接続管と、アームをスロットと位置合わせして接続管の受け口からの脱離が防止されている係止キャッチとを示す図である。
【図２８】図１の患者支持システムで使用するように構成された別の支持取付具の斜視図であって、タワー基部の取付棒に接続された支持ブラケットと、患者支持天板に接続するキャッチアセンブリとを示し、支持ブラケットを取付棒に接続するための傾斜部を有するブラケットレールと、支持ブラケットが取付棒に取り付けられた状態で、支持ブラケットを枢動させてキャッチアセンブリと患者支持天板との接続を補助傾斜アセンブリとを備える支持ブラケットを示す図である。
【図２９】図２８に示す支持取付具の傾斜部をさらに詳細に示す斜視図であって、支持ブラケットを取付棒に選択的に接続するための係止ピンアセンブリと、支持ブラケットと取付棒との意図しない分離を防止するために、係止ピンアセンブリの作動を選択的に制止し、かつ支持ブラケットと取付棒との係合から意図せず解放されてしまうのを防止するための安全ラッチアセンブリとを備える傾斜部を示し、安全ラッチアセンブリの安全ピンが、ブラケットレール内に押し込まれるアンラッチ位置におかれていることを示して、さらに安全ラッチアセンブリのピンスロットの左側に安全ピンが移動して、取付棒との係合から係止ピンアセンブリの係止ピンが解放されていることを示す図である。
【図３０】図２９と同様の支持取付具の傾斜部を示す斜視図であって、ブラケットレールから伸張して係止ピンアセンブリの取付棒との脱離を制限するラッチ位置にある安全ピンを示す図である。
【図３１】図２８〜図３０に示す支持取付具の傾斜部および傾斜アセンブリを示す分解斜視図であって、安全ピンを選択的に並進・往復移動するように保持して、係止ピンアセンブリをラッチしたりアンラッチしたりするピンラッチを有する傾斜アセンブリを示す図である。
【図３２】患者支持システムで使用するように構成された支持取付具の別実施形態の斜視図であって、傾斜アセンブリが回転ロックアセンブリを有し、この回転ロックアセンブリは、支持ブラケットが取付棒にしっかりと接続されたままの状態で、支持ブラケットを選択的にロックしたりアンロックしたりして枢動させるハンドルを備えることを示す図である。
【図３３】図３２に示す支持取付具の拡大部分を示す斜視図であって、ハンドルがロック位置にあることを示す図である。
【図３４】図３２および図３３に示す支持取付具の拡大部分を示す斜視図であって、ハンドルがアンロック位置にあることを示す図である。
【図３５】図３２〜図３４に示す支持取付具の拡大部分を示す斜視図であって、ハンドルがロック位置にあって、透明表示によって、対応するロック位置とアンロック位置との間を回転するように非円形シャフトがハンドルに固定され、ハンドルがロック位置にあるときには、ハンドルが支持ブラケットの枢動を防止する支持ブラケットのロックアウトスロットを通して突出することを示す図である。
【図３６】図３２〜図３５に示す支持取付具の拡大部分を示す斜視図であって、ハンドルがアンロック位置にあること、および非円形シャフトがロックアウトスロット内で回転して、ハンドルがアンロック位置にある場合に、支持ブラケットが枢動するようにロックアウトスロットをシャフトに対してスライド（横断）可能にすることを示す図である。
【図３７】図３２〜図３６の支持取付具の拡大部分を示す正面図であり、ロックアウトスロットが、非円形シャフトのアンロック位置への回転を可能にするホーム部分と、シャフトがアンロック位置に配置されない限り、シャフトの受け取りを制限する枢動経路部分とを備えることを示す図である。
【図３８】図３７に示す支持取付具の拡大部分を示す正面図であって、シャフトがアンロック位置にあり、ブラケットレールが、シャフト周りを、枢動経路部分を横断するように（反時計回りに）枢動したことを示す図である。
【発明を実施するための形態】
【００３４】
本開示の原理に対する理解を促進するために、以下の説明では、図示した例示的実施形態を参照し、また特定の言語を使用する。
【００３５】
種々の外科手術を実施するにあたり、患者の身体の手術部位に外科的に接近できるようにすることで、好ましい手術条件確立が促進され、好結果を得る可能性が高まる。患者支持装置は、外科チームが特定の手術部位に、好適かつ／または適切に接近できるように、患者の身体の位置決めを補助することができる。患者支持装置は、床の上方で支持構造体により支持されている患者支持天板を備えることができる。患者支持天板を支持構造体に選択的に取り付けることにより、様々な支持天板を使用することができ、患者支持装置を容易に移動および収納することができるようになる。
【００３６】
患者支持装置１０の好適実施形態は、例えばタワー基部１２のような一対の端部支持体と、患者支持天板１４と、タワー基部１２にそれぞれ接続された一対の支持取付具１６とを備える。支持取付具１６は、図１に示すように、天板１４を床の上方において支持するために、患者支持天板１４に選択的に接続されるように構成されている。患者支持天板１４は、例えば、長手方向の両端部に、各支持取付具１６のキャッチアセンブリ２２と選択的に接続させるための接続管２０を有する接続器アセンブリ１８を備える。
【００３７】
図２の例示的実施形態に最良に示されているように、支持取付具１６はそれそれ、例えば、キャッチアセンブリ２２と、タワー基部１２に接続され、タワー基部１２から長さｌに沿って延在する支持ブラケット２４とを備える。キャッチアセンブリ２２は、例えば、支持ブラケット２４に接続され、支持ブラケット２４の長さｌに沿って選択的に配置される。キャッチアセンブリ２２は、支持ブラケット２４の長さｌに沿って、離間する個々の位置で適切にロックされる。キャッチアセンブリ２２に接続管２０をはめ込んで、図１〜４に示すように、患者支持天板１４をタワー基部１２に選択的に接続する。
【００３８】
許容される接続器アセンブリ１８の例が、Ｈｉｇｈｔらによる米国特許出願公開第２０１３／０２６９７１０号明細書に開示されており、その内容は、少なくとも運動接続器「２１８」に関連する記載および図面を含めたその全体が、参照により本明細書に組み込まれるものとする。いくつかの実施形態では、患者支持天板１４は、任意の適切な方法で支持取付具１６に接続してもよい。
【００３９】
図３および図４に最良に示されているように、キャッチアセンブリ２２は、例えば、患者支持天板１４をタワー基部１２に選択的に固定するよう操作可能な上部取付型キャッチアセンブリとして設けられている。図面ではキャッチアセンブリ２２は、一対のキャッチ保持体２８を有し、キャッチ保持体２８はそれぞれ、接続管２０を受けるキャッチ受け口３０を画定している。キャッチ保持体２８はそれぞれ、収納型ラッチ３４を有するラッチアセンブリ３２を備える。ラッチ３４は、各キャッチ保持体２８に回転可能に接続され、かつアンラッチ位置（図３において実線で示す後退位置）と、接続管２０がキャッチ受け口３０から移動するのを阻止するラッチ位置（図３において破線で示し、図４において実線で示す前進位置）との間を手動で操作できる。
【００４０】
各キャッチ保持体２８は、キャッチ体３６と、キャッチ体３６から延在してキャッチ受け口３０を形成しているキャッチアーム３８とを備える。各キャッチアーム３８は、キャッチ受け口３０を画定し接続管２０と係合する上面４０を有する。キャッチアーム３８の上面４０は、接続管２０の形状と相補関係となるＵ字形状であって、キャッチ受け口３０が接続管２０を挿入するための開放上端部４２を有するようなＵ字形状となっている。いくつかの実施形態では、キャッチアーム３８と接続管２０とは、選択的接続のために相互に相補的な任意の適切な形状を有することができる。
【００４１】
図５に最良に示されているように、図に示す各キャッチ保持体２８はキャリッジ４４とカバー４６とを備え、これらは共に、キャッチ体３６およびキャッチアーム３８の各々を形成している。この例示的実施形態では、各キャリッジ４４は、キャッチ体部分３６ａと、キャッチ体部分３６ａの側部から延在し、かつ上面４０ａを画定しているキャッチアーム部分３８ａとを備え、各カバー４６は、キャッチ体部分３６ｂと、キャッチ体部分３６ａの側部から延在し、かつ上面４０ｂを画定しているキャッチアーム部分３８ｂとを備える。キャッチ体３６は、例えば、キャッチ体部分３６ａと３６ｂとを備え、キャッチアーム３８はキャッチアーム部分３８ａと３８ｂとを備え、また上面４０は上面４０ａと４０ｂとを備えている。
【００４２】
図５に示す例示的実施形態では、例えば、キャリッジ４４がキャッチアーム部分３８ａに垂直に延在するフランジ４８を、支持ブラケット２４と接続可能に備える。カバー４６は、例えば、ラッチアセンブリ３２がキャリッジ４２内に形成される内部空洞４９内に収容されるように、フランジ４８に対向しているキャリッジ４２に取り付けられる。キャリッジ４４は、例えば、キャリッジ４４のキャッチ体部分３６ａの、キャッチアーム部分３８ａが伸びて内部空洞４９に接続する側にラッチ開口５０を有する。ラッチアセンブリ３２のラッチ３４がラッチ位置に向かって枢動すると、ラッチ３４はラッチ開口５０を通って前進して接続管２０と係合する。
【００４３】
ラッチアセンブリ３２は、例えば、ラッチ３４と、トーションばね５２としてラッチ３４をラッチ位置に付勢するように配置された弾性部材と、ラッチ３４をキャッチ体３６に枢動可能に取り付ける枢動ピン５４とを備える。回転ピン５４は、回転軸５６に沿って、ラッチ３４のピン孔６３を通って延在しており、かつキャリッジ４４およびカバー４６の各々によって、両端部において支持されている。ラッチ３４は、例えば、ラッチ位置とアンラッチ位置との間を軸５６周りに回転するように、枢動ピン５４でキャッチ保持体２８に取り付けられている。
【００４４】
図５に示すように、ラッチ３４は例えば、回転軸端部６２と自由端部６４との間に延在する幹部６０と、ラッチ３４が軸５６を回転することによって画定される面に対して平行に、幹部６０から伸張するタブ６６とを備える。幹部６０は回転端部６２に、回転ピン５４を収容するピン孔６３（貫通孔）を備える。タブ６６は、例えばくさび形状を形成しており、かつ幹部６０に対して傾斜している上面６８と、接続管２０と係合してキャッチ受け口３０から脱離するのを阻止する下面７０とを備える。
【００４５】
図３を参照すると、ばね５２が正常に、ラッチ３４をラッチ位置に付勢している。接続管２０は、キャッチ受け口３０の開放上端部４２を通る際、タブ６６の上面６８に接触し、ラッチ３４を、ばね５２を押し縮めるアンラッチ位置に押し込む。上面６８は、例えば、自身にかかる、接続管２０の下向きの力を、ラッチ３４をアンラッチ位置に押し込む横向きの力（回転力）に変換するように傾斜している。ひとたび接続管２０が開放上端部４２からキャッチ受け口３０に収まると、ばね５２がラッチ３４をラッチ位置に戻す。
【００４６】
ラッチ３４がラッチ位置にある場合、タブ６６はラッチ開口５０を通って突出し、キャッチ受け口３０の開放上端部４２を少なくとも一部横切って延在する。接続管２０がキャッチ受け口３０内に収まり、ラッチ３４がラッチ位置にある場合、図４に示すように、タブ６６の下面７０は接続管２０と係合して接続管２０がキャッチ受け口３０から脱離するのを阻止することができる。下部表面７０は、例えば、接続管２０との接触部が半円を描くようにラッチ３４の回転端部６２に向かうように傾斜しており、上向きの力によってラッチ３４がアンラッチ位置に押し込まれないようになっている。しかしながら、使用者がラッチ
３４の幹部６０の自由端部６４を操作して、手動でばね５２を押し縮めて、ラッチ３４をアンラッチ位置にして、接続管２０をキャッチ受け口３０から取り外すこともできる。
【００４７】
図６および図７を参照すると、キャッチアセンブリ２２が、上述のように、スライド可能に配置できるよう支持ブラケット２４に接続されている。キャッチアセンブリ２２は、例えば、支持ブラケット２４に沿った個別の様々な位置で、支持ブラケット２４のラチェット７４の歯７６に選択的に係合する歯止め７２を備える。歯止め７２は、ばね部材８０によってラチェット７４の歯７６間の係合位置に付勢されて、キャッチアセンブリ２２と支持ブラケット２４との間の脱離を阻止している。キャッチアセンブリ２２は、例えば、歯７６間から非係合位置内に歯止め７２を外すことによってばね部材８０を押し縮め、キャッチアセンブリ２２を解放して、ブラケットレール８８の端部９０と９２との間をブラケット２４に沿ってスライド移動できるようにする手動回転可能なレバー８２を備える。図７に示す例示的実施形態では、ラチェット７４は、支持ブラケット２４に画定されている空洞８４内に配置されている。
【００４８】
図６に示す例示的実施形態では、支持ブラケット２４は、それぞれ対応するタワー基部１２の取付棒８６に接続することによって、タワー基部１２に取り付けられている。各支持ブラケット２４は、例えば、相互に離間しており、かつ両端部９０、９２の間で相互に平行に、長さｌ分延在する一対のブラケットレール８８と、ブラケットレール８８の対向する端部９２間に延在するブラケット支柱９１とを備える。許容される取付棒８６の例はＨｉｇｈｔらによる米国特許出願公開第２０１３／０２６９７１０号明細書に開示されており、その内容は、少なくとも接続ブロック体「２１８」に関連する記載および図面を含めたその全体が、参照により本明細書に組み込まれるものとする。いくつかの実施形態では、各支持ブラケット２４は、任意の適切な方法で対応するタワー基部１２に接続することができる。
【００４９】
図８に示す例示的実施形態では、各ブラケットレール８８は、支持ブラケット２４を取付棒８６に接続するための傾斜部９４を備える。傾斜部９４は、例えば、ブラケットレール８８の伸張方向に対して垂直に対向している面９７を備える。傾斜部９４では、各ブラケットレール８８は、係止ピンアセンブリ９８と、ブラケットレール８８の内側表面１０２に画定されているリテーナスロット１００とを備える。例示的な本実施形態では、各リテーナスロット１００は、面９７から、対応するブラケットレール８８の長さ方向に対して角度αである長さ伸張した内面１０２に画定されており、この角度αは、例えば、取付棒８６との係合から不必要に脱離してしまうのを防止できるように９０度未満（例えば、約４５度〜８５度）となっている。各係止ピンアセンブリ９８は、ブラケットレール８８を貫通するピン孔１０６にスライド可能に取り付けられ、使用者が操作するハンドル１０９に接続された係止ピン１０４を備える。使用者は各ハンドル１０９に力を付与して、後退位置（図８において実線で示し、図９で示唆）と、前進位置（図８において点線で示し、図１０で示唆）とを係止ピン１０４をスライドさせて、係止ピンアセンブリ９８を選択的に操作できる。
【００５０】
図８に示すように、各取付棒８６は、例えば、棒８５によってタワー基部１２に取り付けられている（したがって、棒８５は、Ｈｉｇｈｔらによる米国特許出願公開第２０１３／０２６９７１０号明細書に開示されているように、タワー基部１２により支持ブラケット２４を位置決めするよう回転および移動操作可能である。例として、この開示の内容は少なくともシャフト「２１２」に関連する記載および図面を含めたその全体が、参照により本明細書に組み込まれるものとする。各取付棒８６は、例えば、両端部１０８および１１０間にある長さ延在する取付体１０７と、取付体１０７の伸張方向に対して平行に、両端部１０８および１１０の各々から延在する２つのリテーナピン１１２とを備える。各取付棒８６は、両端部１０８および１１０において画定された一対の係止孔１１４を備える。各リテーナピン１１２は、対応するブラケットレール８８のリテーナスロット１００の１つに挿入されるように構成され、同じ対応するブラケットレール８８の係止ピン１０４係止孔１１４に挿入して、支持ブラケット２４を取付棒８６に接続するように構成されている。
【００５１】
図９および図１０に示唆するように、リテーナスロット１００とブラケットレール８８との間の角度αにより、支持ブラケット２４が取付棒８６から予期せず脱離してしまうことを防止できる。支持ブラケット２４を取付棒８６に取り付けるには、支持ブラケット２４を斜めにして、リテーナスロット１００をリテーナピン１１２と位置合わせする。使用者は、係止ピン１０４を後退位置に移動し、かつ図８に矢印１１５で示す方向に支持ブラケット２４を枢動して、リテーナスロット１００内にリテーナピン１１２を収容し、かつ係止ピン１０４の位置を係止孔１１４と位置合わせする。ひとたび位置合わせしたら、図１０に示すように、係止ピン１０４を前進位置に移動して係止孔１１４へ挿入する。支持ブラケット２４を取り外すには、上記のステップを逆の順序で行う。
【００５２】
ここで図１１および図１２を参照すると、支持ブラケット２４は、支持ブラケット２４が取付棒８６に取り付けられてキャッチアセンブリ２２と患者支持天板１４との接続を補助した状態で、支持ブラケット２４を回転させるチルトアセンブリ１１８を備える。チルトアセンブリ１１８は、例えば、一対の解放ゲート１２０を備え、このそれぞれは、対応するブラケットレール８８の端部９０に枢動可能に取り付けられ、ブラケットレール８８の傾斜部９４の一部を形成している。傾斜部９４が、支持ブラケット２４と取付棒８６とが組み合わされた状態で、取付棒８６に対して支持ブラケット２４が回転可能となるような接続を可能にしているのに対して、チルトアセンブリ１１８は、取付棒８６に取り付けられて患者支持天板１４の支持ブラケット２４への接続を容易にしつつ、支持ブラケット２４が取付棒８６に対する選択的回転を可能にしている。
【００５３】
図１１および図１２に示すように、チルトアセンブリ１１８の解放ゲート１２０はそれぞれ、例えば、リテーナスロット１００が形成されている、対応するブラケットレール８８の内側表面１０２を形成するフレーム１２２と、このフレーム１２２の内面１０２とは反対の側から伸張するストッパー１２４とを備える。ストッパー１２４は、例えば、図１１および図１２において概ね下向きで、対応するブラケットレール８８と端部９０で相補関係を有する解放ゲート１２０のラベット１２８を画定する形状となっている表面１３０を備える。各解放ゲート１２０には、解放ゲート１２０およびブラケットレール８８の相対位置を固定するために、ボルト孔１２９が通っている。
【００５４】
図１１および図１２に示すように、ブラケットレール８８はそれぞれ、例えば、端部９０から伸張する凸部１３２を有し、対応する解放デート１２０のラベット１２８に接合される。各ブラケットレール８８は、凸部１３２がラベット１２８内で接合される際に、ストッパー１２４の面１３０と係合できるような形状を有する表面１３４を備える。図１１および図１２に示す例示的実施形態では、面１３０と１３４とは湾曲しているが、いくつかの実施形態では、互いに相補的な任意の形状とすることができる。
【００５５】
図１１および図１２に示す例示的実施形態では、支持ブラケット２４の各ブラケットレール８８は、解放ゲート１２０の一方にピン１３５で軸回転可能に接続されており、開放状態（図１１に示す）と接続状態（図１２に示す）との間を枢動できるようになっている。各ブラケットレール８８の凸部１３２は、例えば、ボルトラッチ１３６を備え、このボルトラッチ１３６は、凸部１３２から伸張して解放ゲート１２０のボルト孔１２９に届かないようにな開放状態（図１１に示す）と、ボルトラッチ１３６が凸部１３２から解放ゲート１２０のボルト孔１２９まで伸張して解放ゲート１２０に対する枢動に対してブラケットレール８８を解放可能に固定する接続状態（図１２に示す）との間で配置可能となっている。
【００５６】
ボルトラッチ１３６は、例えば、凸部１３２のボルト開口１４０内にスライド可能に配置されたボルト１３８を備える。本例示的実施形態の開放状態では、ボルト１３８はそれぞれ、対応する凸部１３２内に配置され（すなわち、ボルト孔１２９内にではなく）、ブラケットレール８８は、解放ゲート１２０に対して枢動できる。接続状態では、ボルト１３８が、凸部１３２から解放ゲート１２０のボルト孔１２９内に突出している。
支持ブラケット２４が接続状態にあり（図１２に示す）、ボルト１３８も接続状態にある場合、ボルト１３８は対応する解放ゲート１２０のボルト孔１２９内に伸張し、解放ゲート１２０に対して枢動できるように支持ブラケット２４のブラケットレール８８の位置を固定している。患者支持天板１４の接続器アセンブリ１８と支持ブラケット２４との接続および開放する際には、操作者がボルトラッチ１３６をボルト孔１２９から外して開放状態にして、支持ブラケット２４の回転動作を解除することができる。
【００５７】
図１３〜図２１には、患者支持装置１０で使用するように構成された支持取付具１０１６の別の例示的実施形態が示されている。支持取付具１０１６は、本明細書に記載している支持取付具１６と同様のものである。したがって、支持取付具１０１６固有の開示と一致しない場合を除いて、支持取付具１６に関する説明が支持取付具１０１６にも適用できる。
【００５８】
各支持取付具１０１６は、例えば、タワー基部１２の一方の取付棒８６に接続され、かつ患者支持天板１４に選択的に接続されるように構成されている。各支持取付具１０１６は、例えば、支持ブラケット１０２４にスライド可能に取り付けられ、支持ブラケット１０２４の長さｌに沿って選択的に配置可能なキャッチアセンブリ１０２２を備える。キャッチアセンブリ１０２２は、例えば、支持ブラケット１０２４の長さｌに沿って離間する個々の位置にロックされる。各支持取付具１０１６のキャッチアセンブリ１０２２は、例えば、患者支持天板１４をタワー基部１２に選択的に固定するよう操作可能な上部取付型キャッチアセンブリとして設けられている。
【００５９】
図１３および図１４に最良に示されているように、キャッチアセンブリ１０２２は、例えば、本体１０２７と、互いに離間した関係を保って本体１０２７から伸張する一対のキャッチ保持体１０２６とを備える。本体１０２７を手動で操作して、キャッチアセンブリ１０２２の位置を支持ブラケット１０２４の長さｌに沿って選択的に固定することができる。キャッチ保持体１０２６はそれぞれ、本体１０２７から伸張して接続管２０を保持するキャッチ受け口１０３０を画定している。図１９に最良に示されているように、キャッチ受け口１０３０は、例えば、接続管２０が、キャッチアセンブリ１０２２に載置されているときに占有する空間を有する。 
【００６０】
図１３および図１４に示すように、キャッチアセンブリ１０２２は、例えば、枢動可能なラッチ１０３４を有するラッチアセンブリ１０３２を備える。本例示的実施形態では、ラッチ１０３４はそれぞれ対応するキャッチ保持体１０２６に枢動可能に接続されている。ラッチ１０３４は、例えば、キャッチ受け口１０３０に挿入される接続管２０を受けるアンラッチ状態（図１３に示す）と、接続管２０がキャッチ受け口１０３０から脱離するのを阻止するラッチ状態（図１４に示す）との間で可動となっている。
【００６１】
図１５に示すように、各キャッチ保持体１０２６は、例えば、キャッチ体１０３６と、キャッチ体１０３６から伸張してキャッチ受け口１０３０を形成しているキャッチアーム１０３８とを備える。キャッチアーム１０３８は、例えば、キャッチアセンブリ１０２２の本体１０２７から離間した位置においてキャッチ体１０３６から伸張し、かつ垂直方向に（図１５に示す姿勢の場合）延在してキャッチ受け口１０３０の一部を画定している。
【００６２】
図１５および図１６に示す例示的実施形態では、キャッチ体１０３６はそれぞれ、上面１０４０を有し、キャッチアーム１０３８はそれぞれ、側面１０４１を有する。各キャッチ保持体１０２６において、互いに対応する上面１０４０と側面１０４１は共にキャッチ受け口１０３０の一部を画定しており、かつキャッチ受け口１０３０内に載置される接続管２０と係合する。キャッチ体１０３６は、例えば、本体１０２７のキャッチアセンブリ１０２２の側部１０３７近傍に取り付けられる。 
【００６３】
図１５および図１６に示すように、本体１０２７は前面１０４２を有し、この前面１０２７は、対応するキャッチ保持体１０２６の相互に対応する上面１０４０と側面１０４１と共に、接続管２０の形状と相補的な、通常Ｕ字形のキャッチ受け口１０３０を画定し、かつ接続管２０を挿入できるようにキャッチ受け口１０３０の上部は開口している。いくつかの実施形態では、キャッチ受け口１０３０は、接続管２０を載置可能な任意の適切な形状を有することができる。
【００６４】
上記のように、図１５および図１６に示す例示的実施形態では、各ラッチアセンブリ１０３２のラッチ１０３４は、キャッチ体１０３６の内部側面１０３３に枢動可能に取り付けられている。各ラッチ１０３４は、例えば、プレートで形成された基部１０４６と、基部１０４６から伸張してラッチ受け口１０５０を画定しているアーム１０４８とを備える。基部１０４６はアーム１０４８と共に、ラッチ受け口１０５０を画定する連続する面１０４９を形成している。
【００６５】
本例示的実施形態では、各ラッチ１０３４のアーム１０４８は、例えば、基部１０４６に接続された幹部１０５２と、幹部１０５２に取り付けられた弧状部１０５４とを有する。幹部１０５２は、基部１０４６に接続された第１の端部から、第１の端部とは反対側の第２の端部まで、垂直方向に（図１５および図１６に示す姿勢の場合）延在する。幹部１０５２は、例えば、面１０４９の一部を画定している内側表面１０５３を有する。 
【００６６】
図１６に示すように、図面では、弧状部１０５４は、基部１０４６に対向している幹部１０５２の第２の端部に接続され、かつ幹部１０５２から自由端部１０５６へと延在する。弧状部１０５４は、例えば、面１０４９の一部を形成している内側表面１０５８を備える。弧状部１０５４の内側表面１０５８は、接続管２０の形状と相補的な凹形状を有するように形成されている。
【００６７】
図１５および図１６に示す例示的実施形態では、幹部１０５２の内側表面１０５３、弧状部１０５４の内側表面１０５８、および基部１０４６の上面１０５１は、共同して連続面１０４９を形成している。本例示的実施形態では、基部１０４６の上面１０５１は、キャッチ体１０３６の上面１０４０に平行に配置されており、幹部１０５２の内側表面１０５３は、キャッチ体０３６の側面１０４１に平行に配置されている。
【００６８】
図１４に示すように、ラッチ１０３４がラッチ状態にある場合、基部１０４６の上面１０５１とキャッチ体１０３６の上面１０４０とが揃えられて連続する底面を形成する。また幹部１０５２の内側表面１０５３は、キャッチアーム１０３８の側面１０４１と揃えられて連続する側面を形成する。ラッチ状態にある場合、ラッチ１０３４の弧状部１０５４は、開放上端部１０４４を少なくとも一部横切るように配置され、かつ接続管２０がキャッチ受け口１０３０から脱離するのを阻止している。図１３に示すように、ラッチがアンラッチ状態にある場合、基部１０４６の上面１０５１は、キャッチ体１０３６の上面１０４０との位置合わせから解放されており、また幹部１０５２の内側表面１０５３は、キャッチアーム１０３８の側面１０４１との位置合わせから解放されている。
【００６９】
患者支持天板１４とキャッチアセンブリ１０２２との接続が図１７〜図１９に例示されている。図１７では、キャッチアセンブリ１０２２は、例えば、患者支持天板１４の接続管２０をキャッチ受け口１０３０内に載置するように調整されている。ラッチ１０３４は、例えば、キャッチアセンブリが患者支持天板１４と係合する前に、ラッチ状態に調整される。図１８では、接続管２０が、例えば、キャッチアセンブリ１０２２のラッチ１０３４に接触している。接続管２０は、例えば、開放上端部１０４４を通りキャッチ受け口１０３０内に載置されると、各ラッチ１０３４の弧状部１０５４に接触し、付勢部材に抗してラッチ１０３４を回転してアンラッチ状態にする本例示的実施形態では、弧状部１０５４の上面１０５５（図１５および図１６に示す）は、接続管２０と接触すると、ラッチ１０３４がアンラッチ状態になるように傾斜している。弧状部１０５４の内側表面１０５８は、例えば、接続管２０からの上向きの力がラッチ１０３４の回転軸に対して放射状となるように、傾斜しておらず、上向きの力のみでロックが解除されるのを防いでいる。図１９に示すように、ひとたび接続管２０がキャッチ受け口１０３０内に載置されると、ラッチ１０３４は、例えば、ラッチ位置内に付勢されて接続管２０がキャッチ受け口１０３０から脱離するのを阻止する。 
【００７０】
図２０および図２１を参照すると、摺動して位置決めできるように、キャッチアセンブリ１０２２が支持ブラケット１０２４と組み合わされている。キャッチアセンブリ１０２２は、例えば、支持ブラケット１０２４に沿って、支持ブラケット１０２４の対応するブラケットレール１０８８のラチェット１０７４の歯１０７６に選択的に個々に係合する一対の歯止め１０７２を備える歯止めアセンブリ１０７０を備える。歯止め１０７２はばね部材１０７８によって、ラチェット１０７４の連続する歯１０７６間の係合位置（図２０に示す）に付勢されて、キャッチアセンブリ２２と支持ブラケット２４とが脱離するのを防止している。また、手動で歯７６間から解放位置（図２３に破線で示す）内に移動させると、キャッチアセンブリ１０２２が支持ブラケット１０２４の長さｌに沿ってスライドできるようになる。 
【００７１】
図１６に最良に示されているように、各歯止め１０７２は、例えば回転端部１０８２と、回転端部１０８２の反対側に自由端部１０８４とを有する歯止めレバー１０８０と、（図２１に示す）、自由端部１０８４に近接する歯止めレバー１０８０から伸張し、（図２１に示すように）対応するブラケットレール１０８８の歯１０７６に選択的に係合する歯止めヘッド１０８６とを備える。回転端部１０８２には、例えば、本体１０２７を伴った棒１０８３であって、歯止めレバー１０８０とトリガ１０９２とが回転可能に固定されている棒１０８３が回転可能に取り付けられる。図示の歯止めヘッド１０８６は三角形状に形成されているが、歯１０７６と係合して、本明細書に記載したような意図しない脱離を防止できる形状であればいかなる形状であってもよい。また、歯止めとラチェットは１つであってもよい。
【００７２】
図２１および図２２に示すように、支持ブラケット１０２４のラチェット１０７４が歯止め１０７２を受けて、支持ブラケット１０２４の長さｌに沿ってキャッチアセンブリ１０２２を選択的に固定する。 各ラチェット１０７４の歯１０７６は、例えば、対応する、支持ブラケット１０２４のブラケットレール１０８８に設けられ、ブラケットレール１０８８の長さｌに沿って連続的に配置されている。
【００７３】
図２２および図２３に示すように、キャッチアセンブリ１０２２は、例えば、（図２１に示すように歯１０７６と係合する）係合位置と（図２３に示すラチェット１０７４とから脱離する）係合解除位置との間で歯止め１０７２を回転端１０８２周りに回転するように枢動して、ばね部材７９を圧縮したり、キャッチアセンブリ１０２２の支持ブラケット２４に沿ったスライドを可能にしたりするトリガ１０９２を有する。トリガ１０９２は一端で、歯止めレバー１０８０の回転端部１０８２に取り付けられて回転力を相互伝達する棒１０８３に接続されている。ラチェット１０７４の歯１０７６は、例えば、支持ブラケット１０２４に形成されている空洞１０９４内に配置されている。 
【００７４】
例示的実施形態では、歯止めヘッド１０８６の三角形状と回転端部１０８２上を回転する歯止めレバー１０８０の枢動経路とにより、図２１に示すように、キャッチアセンブリ１０２２に荷重が移動することなく、歯止め１０７２のラチェット１０７４からの脱離を防止することができる。使用者はグリップ１０９０に力を加えてキャッチアセンブリ１０２２に荷重を移し、ラチェット１０７４の歯１０７６間の歯止めヘッド１０８６を浮かせ、トリガ１０９２に力を加えて歯止め１０７２を回転させてラチェット１０７４との係合を解除し、図２２に示す支持ブラケット１０２４に沿ったスライドができるようにキャッチアセンブリ１０２２を解放することができる。使用者は、キャッチアセンブリ１０２２の相対位置を選択し、その位置で、トリガ１０９２を解放して、歯止め１０７２と歯１０７６とが係合するように、ばねが歯止め１０７２を付勢し、キャッチアセンブリ１０２２と支持ブラケット１０２４との間の相対移動を防止することができる。
【００７５】
図２１に示すように、歯１０７６はそれぞれ、例えば、その対向する面に、平面１０７７と曲面１０７９とを有する。本例示的実施形態では、図２１に示向きに配置された状態で、歯１０７６の曲面１０７９は下を向き、平面１０７７は、上を向いている。歯１０７６は、例えば、空洞１０９４内に、互いに間隔をあけて連続的に配置されてその間に歯止めヘッド１０８６を収容する歯止め空間１０８１を画定している。歯止めヘッド１０８６は、歯止めヘッド１０８６の回転経路、および／または歯止めヘッドおよび面１０７７および１０７９の対応する形状に応じて、平面１０７７または曲面１０７９のいずれかに係合すると、歯止め空間１０８１から脱離するのを阻止される。したがって、歯止めレバー１０８０の係合解除位置への回転によって、歯止めヘッド１０８６と面１０７７および１０７９とが接触しないように、荷重を除き、かつ歯止めヘッド１０８６を歯止め空間１０８１のやや中央寄りにずらすことで、支持ブラケット１０２４に対してキャッチアセンブリ１０２２が意図せずスライドしてしまうことを阻止することができる。
【００７６】
図２４〜図２７は、患者支持装置１０で使用する一対の支持取付具２０１６の他の例示的実施例を示す。支持取付具２０１６は、本明細書に記載している支持取付具１６および１０１６と同様のものである。したがって、支持取付具２０１６固有の開示と一致しない場合を除いて、支持取付具１６、１０１６に関する説明が支持取付具２０１６にも適用できる。
【００７７】
各支持取付具２０１６は、例えば、タワー基部１２の一方の取付棒８６に接続され、かつ患者支持天板１４に選択的に接続されるように構成されている。各支持取付具２０１６は、例えば、支持ブラケット２０２４にスライド可能に取り付けられるキャッチアセンブリ２０２２を備える。各支持取付具２０１６のキャッチアセンブリ２０２２は、例えば、患者支持天板１４をタワー基部１２に選択的に固定することができるように下部取付型キャッチアセンブリとして設けられている。
【００７８】
図２４に示すように、各キャッチアセンブリ２０２２は、例えば、一対のキャッチハウジング２０２６と、各キャッチハウジング２０２６内に回転可能に設けられた係止キャッチ２０２８とを備える。各キャッチハウジング２０２６は、接続管２０を挿入する内部空間として設けられたキャッチ受け口２０３０と、キャッチ受け口２０３０とキャッチハウジング２０２６の外側壁２０３４との間に半径方向に延在するスロット２０３２とを画定している。スロット２０３２は、例えば、接続管２０がキャッチ受け口２０３０に進入する際の通路として設けられている。キャッチ受け口２０３０が接続管２０を受けた状態で、係止キャッチ２０２８を手動でスロット２０３２を妨害する位置に回転することによって、接続管２０がキャッチ受け口２０３０から脱離するのを防止することができる。 
【００７９】
図２５に最良に示されているように、各キャッチハウジング２０２６は、例えば、内部に空洞２０４０を有するハウジングカバー２０３６と、空洞２０４０内に配置されたハウジング受け部２０４２とを備える。図面では、ハウジングカバー２０３６は、空洞２０４８を画定している内部表面２０３８を有する本体２０３５と、本体２０３５に取り付けて空洞２０４８内にハウジング受け部２０４２を固定する封止体２０３７とを備える。
【００８０】
ハウジング受け部２０４２は、例えば、軸線２０２５に沿って長手方向に延在して内部空間２０４５を画定し、ハウジングカバー２０３６と係合するように対向する外表面２０４４を有する管壁２０４３を備える中空管として設けられている。空洞２０４０は、例えば、ハウジング受け部２０４２が空洞２０４０内をハウジングカバー２０３６と相対的に、図２５に示す場合の垂直方向に移動することができるように、ハウジング受け部２０４２の形状と相補的な形状となっている。ハウジング受け部２０４２の外表面２０４４は、例えばハウジングカバー２０３６の内面２０３８と係合してハウジング受け部２０４２とハウジングカバー２０３６とが相対的に回転するのを防止するよう平坦面である。ハウジングカバー２０３６に対してハウジング受け部２０４２が、回転ではなく、移動できるようにすることによって、以下に詳細に説明するように、接続管２０のキャッチ受け口２０３０から予期せず脱離することを確実に防止することができる。
【００８１】
図２５に示す例示的実施形態では、各係止キャッチ２０２８は、対応するハウジング受け部２０４２の内部空間２０４５内に回転可能に保持され、ハウジング受け部２０４２と互いに垂直方向に移動しないように固定されている。各係止キャッチ２０２８は、例えば、軸線２０２５に沿って長手方向に延在する円筒体として形成された本体２０４６と、軸線２０２５の方向に本体２０４６からある長さ伸張するアーム２０４８とを備える。アーム２０４８は、例えば、軸線２０２５を中心とする円周状に形成され、隙間２０５４を画定する端部２０５０、２０５２を有する壁部として設けられる。係止キャッチ２０２８は、例えば、アーム２０４８と隙間２０５４とがキャッチハウジング２０２６のスロット２０３２と軸方向にそろうように、キャッチ保持体２０２６内に配置されている。使用者は、軸線２０２５を中心に係止キャッチ２０２８を回転して、アーム２０４８または隙間２０５４のいずれかをキャッチハウジング２０２６のスロット２０３２と円周方向に（角度をつけて）位置合わせして、かつキャッチアセンブリ２０２２を選択的にアンロックしたりロックしたりすることができる。 
【００８２】
使用者は、係止キャッチ２０２８を回転させて、隙間２０５４がスロット２０３２と円周方向にそろうアンロック位置（図２６）と、アーム２０４８がスロット２０３２と円周方向にそろうロック位置（図２７）とを選択することができる。図２６に示すように、アンロックでは、アーム２０４８は、接続管２０がスロット２０３２を上方に通過し、キャッチ受け口２０３２内に収まるように、例えば、スロット２０３２とは、軸線２０２５周りの角度位置で異なる角度位置に配置される図２７で示唆するように、アンロック位置では、アーム２０４８を、例えば、スロット２０３２の軸線２０２５周りの角度位置に対応する角度位置に配置して、接続管２０がスロット２０３２を通過するのを防止する。接続管２０がキャッチ受け口２０３０内にあり、かつ係止キャッチ２０２８がロック位置にある場合、接続管２０はキャッチ受け口２０３０から脱離しない。
【００８３】
図２５を参照すると、キャッチアセンブリ２０２２は、例えば、予期せぬロック解除を防止する安全クラッチ２０５８を備える。安全クラッチ２０５８は、例えば、係止キャッチ２０２８をロック位置から回転できるようになる前に、使用者がキャッチアセンブリ２０２２を取り外さなければならなくなるように（したがって、接続された患者支持天板１４も取り外さなければならない）、相互に作用する係止キャッチ２０２８および封止体２０３７の一部を含んでいる。
【００８４】
例示的実施形態では、係止キャッチ２０２８は、例えば、本体２０４６のアーム２０４８とは反対側の端部から伸びる一対の支柱２０５６を備える。支柱２０５６はそれぞれ、例えば、軸線２０２５に対して異なる角度位置で本体２０４６に取り付けられて、軸線２０２５を回転する本体２０４６に作用している。支柱２０５６は、例えば、封止体２０３７とともに、安全クラッチ２０５８として機能する。
【００８５】
封止体２０３７は、例えば、封止体を軸方向に貫通し、本体２０４６に取り付けるための締め具を受ける締め具孔２０６２と、封止体本体２０６０を軸方向に貫通するキーホール２０６６を画定する内表面２０６４を有する封止体本体２０６０を備える。キーホール２０６６は、例えば、内表面２０６４と相互作用するように係止キャッチ２０２８の支柱２０５６を収める。キーホール２０６６の内表面２０６４は、例えば、当接部２０６８および２０６９と間隙２０７０とを画定している。
【００８６】
当接部２０６８および２０６９は、例えば、支柱２０５６の一方と当接部２０６８とが係合してアンロック位置に一致する係止キャッチ２０２８の角度位置を画定し、他方の支柱２０５６と当接部２０６９とが係合してロック位置に一致する係止キャッチ２０２８の角度位置を画定するように、相互に対し、かつ支柱２０５６に対して角度を設けた位置に配置されている。当接部２０６９と間隙２０７０はそれぞれ、軸線２０２５周りの支柱２０５６の一方の角度位置に対応する角度位置に配置されている。本例示的実施形態では、当接部２０６８および２０６９は間隙２０７０より、軸線２０２５からの半径方向距離が小さくなっている。
【００８７】
支柱２０５６の一方が間隙２０７０に位置すると、ハウジングカバー２０３６に対する係止キャッチ２０２８の回転が制限される。本例示的実施形態では、図２５に図示するように、間隙２０７０は６時の位置に配置されている。キャッチハウジング２０２６がロック位置にある場合、キャッチハウジング２０２６の重量（および、キャッチ受け口２０３０内に存在する場合には、接続管２０が伝達する力）により、支柱２０５６が間隙２０７０内に押し込んで係止キャッチ２０２８の回転を制限する。したがって、キャッチハウジング２０２６がロック位置にある場合、キャッチアセンブリ２０２２に接続された患者支持天板１４の重量（例えば患者など、上に乗せられる荷重を含む）により、係止キャッチ２０２８が誤ってアンロック位置にされてしまうようなことは当然ない。係止キャッチ２０２８をロック位置から回転してロックを解除するには、使用者がハウジング受け部２０４２を垂直方向に持ち上げて、ハウジングカバー２０３６に対して相対的に移動して支柱２０５６を間隙２０７０から離し、係止キャッチ２０２８が回転できるようにしなければならない。患者支持天板１４の力が、支柱２０５６を間隙２０７０に押し込む方向に作用するように配分することとでキャッチアセンブリ２０２２の予期しないロック解除が、患者支持天板１４を占める患者の力によって回避できる。
【００８８】
図２５に示すように、各キャッチ保持体２０２６は、例えば、係止キャッチ２０２８のシャフト２０７４に、その回転に抗して固定されたレバー２０７２を備える。各キャッチハウジング２０３６は、係止キャッチ２０２８をロック位置に付勢するばね２０７６を備える。使用者はレバー２０７２を操作して、シャフト２０７４を介して係止キャッチ２０２８に回転を伝達し、ばね２０７６の力に対抗して、係止キャッチ２０２８をアンロック位置に回転することができる。
【００８９】
図２６に示すように、使用者は各係止キャッチ２０２８を、アンロック位置に回転して、接続管２０がスロット２０３２を通過してキャッチ受け口２０３０に入るようにする。図２７に示すように、使用者は接続管２０をキャッチ受け口２０３０に移動し、ばね２０７６が係止キャッチ２０２８をロック位置に付勢するようレバー２０７２を解放して、接続管２０がキャッチ受け口２０３０から脱離するのを阻止することができる。
【００９０】
患者支持装置１０で使用する支持取付具３０１６の別の例示的実施形態が、図２８〜図３１に示されている。支持取付具３０１６は、本明細書に記載している支持取付具１６、１０１６、および２０１６と同様のものである。したがって、支持取付具２０１６固有の開示と一致しない場合を除いて、支持取付具１６、１０１６、および２０１６に関する説明が、支持取付具３０１６にも適用できる。
【００９１】
図２８に示すように、各支持取付具３０１６は、例えば、タワー基部１２の取付棒８６に接続され、かつ患者支持天板１４に選択的に接続されるように構成されている。各支持取付具３０１６は、例えば、支持ブラケット３０２４にスライド可能に取り付けられ、支持ブラケット３０２４の長さｌに沿って選択的に配置可能なキャッチアセンブリ３０２２を備える。支持取付具３０１６の各々のキャッチアセンブリ３０２２は、例えば、患者支持天板１４をタワー基部１２に選択的に固定するように操作できる上部取付型キャッチアセンブリとして設けられている。
【００９２】
各支持ブラケット３０２４は、例えば、相互に離間して長さｌ分平行に延在する一対のブラケットレール３０８８を備える。図２８に示す例示的実施形態では、各ブラケットレール３０８８は、係止ピンアセンブリ３０９８と、支持ブラケット３０２４を取付棒８６に取り付けるために、内側表面１０２に形成されたリテーナスロット１００とを有する傾斜部３０９４を備える。各リテーナスロット１００は、例えば、対応するブラケットレール３０８８の長さ方向に対して一定の角度で、ブラケットレール４０８８の面９７から一定の長さを有するように内側表面１０２に形成されている。このときの角度は、例えば、取付棒８６からの不要な脱離を防ぐために９０度未満である。
【００９３】
図２９および図３０に示すように、各係止ピンアセンブリ３０９８は、使用者が操作できるようにハンドル３１０９に接続され、かつブラケットレール３０８８の解放ゲート３１２０を通って取り付けバー８６の係止孔１１４と位置合わせされているピン孔３１０６にスライド可能にはめ込まれた係止ピン３１０４を有する。使用者はそれぞれのハンドル３１０９に力を付与して、係止ピン３１０４を係止孔１１４から後退した後退位置（図３０に示す）と、係止孔１１４内に挿入した前進位置（図２９に示す）との間をスライドさせることによって、各係止ピンアセンブリ３０９８を選択的に操作して、支持ブラケット３０２４を取付棒８６に選択的に取り付けることができる。
【００９４】
図２９および図３０に示すように、各係止ピンアセンブリ３０９８は、例えば、係止ピン３１０４が取付棒８６の係止孔１１４から脱離するのを防止する安全ラッチアセンブリ３２００を有する。各安全ラッチアセンブリ３２００は、例えば、安全ピン３２１０および、往復移動および移動可能に安全ピン３２１０を収容するブラケットレール３０８８によって画定されたピンスロット３２１２を備える。各安全ピン３２１０は、例えば、対応するハンドル３１０９の孔３２１１にスライド可能に収容され、ピンスロット３２１２を通る係止ピン３１０４の方向に対して垂直に延在する。安全ピン３２１０は、ブラケットレール３０８８のピンスロット３２１２内に押し込まれて係止ピン３１０４の並進移動を可能にするアンラッチ位置（図２９に示す）と、安全ピン３２１０がピンスロット３２１２から突出し、以下に詳細に記載するように内部に画定されたラッチ受け口３２２４と係合して、安全ピン３１０４が押し込まれずに係止ピン３１０４の係止孔１１４からの脱離を防止するラッチ位置（図３０に示す）とに操作可能である。
【００９５】
図３１に示す例示的実施形態では、安全ピン３２１０は、第１の径ｄ１を有する第１の部分３２１６と、第１の径ｄ１より大きい第２の径ｄ２を有する第２の部分３２１８とを備え、第１の部分３２１６と第２の部分３２１８との接続部には段差３２２０が設けられた段付きシャフトである。段差３２２０は、例えば、解放ゲート３１２０のラッチ受け口３２２４と選択的に係合して、係止ピン３１０４の係止孔１１４からの脱離を防止する。
【００９６】
図２８に示すように、支持取付具３０１６はそれぞれ、例えば、キャッチアセンブリ３０２２と患者支持天板１４との接続を補助するように、取付棒８６に取り付けられて支持ブラケット３０２４の枢動を可能にする傾斜アセンブリ３１１８を備える（後述する）。傾斜アセンブリ３１１８は、例えば、一対の解放ゲート３１２０を備え、それぞれ対応するブラケットレール３０８８の端部に枢動可能に接続されている。解放ゲート３１２０はそれぞれ、例えば、支持ブラケット２４に関して上述したようなリテーナスロット１００を画定するブラケットレール３０８８の内側表面１０２にもなっている。 
【００９７】
図３０に示す例示的実施形態では、解放ゲート３１２０はそれぞれ、例えば、ピンスロット３２１２を画定している。各ピンスロット３２１２は、例えば、（対応するハンドル３１０９の位置に応じて）横方向に移動可能に安全ピン３２１０を収容できるような形状を有するスライド受け口３２２２と、スライド受け口３２２２と繋がり、安全ピン３２１０を受けて、安全ピン３２１０が横方向に移動するのを阻止するような形状を有するラッチ受け口３２２４とを備える。本例示的実施形態では、スライド受け口３２２２は、安全ピン３２１０を横方向に移動可能に収容できるように、安全ピン３２１０の第１の部分３２１６に相補するような大きさおよび形状で、第２の部分３２１８を収容するには小さく形成されている。ラッチ受け口３２２４は、例えば図３１に示すように、第２の部分３２１８を軸線２７方向に沿って往復移動可能に保持できるように、安全ピン３２１０の第２の部分３２１８と相補するような大きさおよび形状を有している。解放ゲート３１２０はそれぞれ、ラッチ受け口３２２４とスライド受け口３２２２との間に、ラッチ受け口３２２４が安全ピン３２１０を受けたときに段差３２２０が当接するラッチ受け口３２２４の一端を画定するラッチ壁３２２８を有する。
【００９８】
安全ラッチアセンブリ３２００は、例えば、孔３２１１内に配置されて、安全ピン３２１０をラッチ位置に付勢する付勢部材（例えばばねとして設けられる）を備える。安全ピン３２１０がラッチ受け口３２２４と位置合わせされると、付勢部材３２３０が、安全ピン３２１０の第２の部分３２１８をラッチ受け口３２２４のラッチ位置に付勢して、安全ピン３２１０がピンスロット３２１２内を並進するのを防止し、かつ係止ピン３１０６が取付棒８６の対応する係止孔１１４から脱離するのを防止する。使用者は安全ピン３２１０を対応する解放ゲート３１２０に押し込んでアンラッチ位置として、安全ピン３２１０の第２の部分３２１８をラッチ受け口３２２４から離すことによって、安全ピン３２１０が対応するピンスロット３２１２に沿って並進したり、係止ピン３１０４を係止孔１１４から外したりすることができる。ハンドル３１０９は、係止ピン３１０４の操作が容易となるように、使用者の手と相補する湾曲を有するカットアウト部３２３２を有する。このように、傾斜アセンブリ３１１８の安全ラッチアセンブリ３２００は、支持ブラケット３０２４を取付棒８６から取り外すのに人の操作（二重連携動作）を必要とする安全機構を提供する。
【００９９】
図３１に示す例示的実施形態では、傾斜アセンブリ３１１８は、支持ブラケット３０２４が取付棒８６に取り付けられてキャッチアセンブリ３０２２と患者支持天板１４との接続を補助した状態で、支持ブラケット３０２４の選択的枢動を可能にしている。傾斜アセンブリ３１１８は、各ブラケットレール３０８８をそれぞれ対応する解放ゲート３１２０に枢動可能に接続する枢動ボルト３１３５と、枢動ボルト３１３５を軸とするブラケットレールの枢動を選択的に防止するピン３１３６とを備える。各ピン３１３６を接続位置（図３１に破線で示す前進位置）と、解放位置（図３１に実線で表す後退位置）との間を動作して患者支持天板１４の接続・解放を補助することができる。
【０１００】
図３１に示す例示的実施形態では、ピン３１３６は、ブラケットレール３０８８に形成されたピン孔３１３７ａにスライド可能に配置された第１のピン３１３６ａと、解放ゲート３１２０に形成されたピン孔３１３７ｂにスライド可能に配置された第２のピン３１３６ｂとを備える。ピン３１３６ａおよび３１３６ｂと、ピン孔３１３７ａおよび３１３７ｂとは、例えば、同一線上にあり（支持ブラケット３０２４が接続位置にある場合）、またピン３１３６ａおよび３１３６ｂは、隣接端で相互に当接している。ピン３１３６が後退位置（図３１に実線で示す）にある場合、ピン３１３６ｂは、ピン孔３１３７ｂ内に完全に隠れて、ピン孔３１３７ａ内には存在しない状態となって、傾斜アセンブリが解放されてブラケットレール３０８８を枢動ボルト３１３５周りに枢動する。ピン３１３６が前進位置（図３１に点線で示す）にある場合、ピン３１３６ｂは、部分的にピン孔３１３７ａおよび３１３７ｂのいずれにも位置して、枢動ボルト３１３５周りのブラケットレール３０８８の枢動を防止する。使用者はピン３１３６を押し込んで後退位置にしたり、支持ブラケット３０２４が接続位置にある状態でピン３１３６を解放して、ピン３１３６を前進位置に付勢したりすることができる。
【０１０１】
図３０に最良に示されているように、ブラケットレール３０８８と各ハンドル３１０９との間には、ブラケットレール３０８８が矢印３２４６の方向に枢動できるように隙間３２４４が設けられて、患者支持天板１４との接続が容易になっている。このように、支持ブラケット３０２４は、支持ブラケット２４と同様に、患者支持天板１４から離間して枢動することができ、患者支持天板１４との接続を容易にしている。
【０１０２】
ここで図３２〜図３６を参照すると、患者支持装置１０で使用する支持取付具４０１６の別の例示的実施形態が示されている。支持取付具４０１６は、本明細書に開示する支持取付具１６、１０１６、２０１６、および３０１６と同様のものである。したがって、支持取付具４０１６に固有の開示と一致しない場合を除いて、支持取付具１６、１０１６、２０１６、３０１６に関する説明が支持取付具４０１６にも適用できる。
【０１０３】
図３２に示すように、各支持取付具４０１６は、例えば、タワー基部１２の一方の取付棒８６と患者支持天板１４とに、選択的に接続されるように構成されている。各支持取付具４０１６は、例えば、支持ブラケット４０２４にスライド可能に取り付けられ、支持ブラケット４０２４の長さｌに沿って選択的に配置可能なキャッチアセンブリ４０２２を備える。各支持取付具４０１６のキャッチアセンブリ４０２２は、例えば、患者支持天板１４をタワー基部１２に選択的に固定するよう操作可能な上部取付型キャッチアセンブリとして設けられている。
【０１０４】
各支持ブラケット４０２４は、例えば、相互に離間しており、かつ長さｌに沿って相互に平行に延在する一対のブラケットレール４０８８を備える。図３２に示す例示的実施形態では、各ブラケットレール４０８８は、係止ピンアセンブリ４０９８と、支持ブラケット４０２４を取付棒８６に取り付けるために、内側表面１０２に形成されたリテーナスロット１００とを有する傾斜部４０９４を備える。各リテーナスロット１００は、例えば、対応するブラケットレール４０８８の長さ方向に対して一定の角度で、ブラケットレール４０８８の面９７から一定の長さを有するように内側表面１０２に形成されている。このときの角度は、例えば、取付棒８６からの不要な脱離を防ぐために９０度未満である。
【０１０５】
図３２に示すように、各係止ピンアセンブリ４０９８は、例えば、使用者が操作するハンドル４１０９に接続された係止ピン４１０４を備える。係止ピン４１０４は、対応するブラケットレール４０８８の解放ゲート４１２０を通って延在し、取付棒８６の係止孔１１４と位置合わせされたピン孔４１０６に、スライド可能に収容される。使用者はそれぞれのハンドル４１０９に力を付与して、係止ピン４１０４を係止孔１１４から後退した後退位置と、図３２に示すように係止孔１１４内に挿入した前進位置とをスライドさせることによって、各係止ピンアセンブリ４０９８を選択的に操作して、支持ブラケット３０２４を取付棒８６に選択的に取り付けることができる。各係止ピンアセンブリ４０９８は、例えば、取付棒８６の係止孔１１４から係止ピン４１０４が脱離するのを選択的に防止する安全ラッチアセンブリ３２００と同様になるように設けられた安全ラッチアセンブリを備える。安全ラッチアセンブリ３２００は、支持取付具４０１６が取付棒８６から不用意に外れてしまう危険性を低減することができる。
【０１０６】
図３２に示すように、支持取付具４０１６は、例えば、キャッチアセンブリ４０２２と患者支持天板１４との接続が容易になるように、取付棒８６に取り付けられて支持ブラケット３０２４の枢動を可能にする傾斜アセンブリ４１１８を備える。傾斜アセンブリ４１１８は、例えば、一対の解放ゲート４１２０を備え、それぞれ対応するブラケットレール４０８８の端部に枢動可能に接続されている。解放ゲート４１２０はそれぞれ、例えば、支持ブラケット２４、１０２４、２０２４、３０２４、および４０２４に関して上述しているようなリテーナスロット１００を画定するブラケットレール４０８８の内側表面１０２にもなっている。図３４に最良に示されているように、傾斜アセンブリ４１１８は、例えば、各ブラケットレール４０８８をそれぞれ対応する解放ゲート４１２０に枢動可能に接続する枢動ボルト４１３５を備える。
【０１０７】
本明細書に記載しているように、図３３および図３４を参照すると、傾斜アセンブリ４１１８は、例えば、支持ブラケット４０２４の枢動を選択的に可能にする回転ロックアセンブリ４３０２を備える。回転ロックアセンブリ４３０２は、枢動ボルト４１３５を軸とする支持ブラケット４０２４（すなわち、ブラケットレール４０８８）の枢動を解除するように、選択的に操作できる。回転ロックアセンブリ４３０２は、例えば、係止ハンドル４３０４と、使用者の手による回転を受けるように係止ハンドル４３０４で固定されたシャフト４３０６とを備える。
【０１０８】
係止ハンドル４３０４は、ロック位置（図３３で示唆）とアンロック位置（図３４で示唆）との間で動作可能であり、シャフト４３０６はこれに対応して配置される。使用者は係止ハンドル４３０４を、選択的にロック位置に操作して、シャフト４３０６を対応するロック位置にして、ブラケットレール４０８８が枢動ボルト４１３５周りを枢動するのを防止し、また、係止ハンドル４３０４をアンロック位置に操作して、シャフト４３０６を対応するアンロック位置にして、ブラケットレール４０８８が枢動ボルト４１３５周りに枢動できるようにする。したがって、回転ロックアセンブリ４３０２は、支持ブラケット４０２４が傾斜部４０９４によってタワー基部１２の取付棒８６と接続して固定されている状態で、支持ブラケット４０２４が枢動するように選択的に解放するよう作動できる。
【０１０９】
係止ハンドル４３０４は、例えば、基部４３０８と、基部４３０８から伸張する幹部４３１０とを備える。幹部４３１０は、使用者が掴んで力を加えられるように、基部４３０８から人間工学的形状に伸張している。シャフト４３０６は、例えば、基部４３０８に接続され、回転平面および幹部４３１０に対して直行する軸線４３０５に沿って突出している。
【０１１０】
図３５および図３６に示すように、シャフト４３０６は、例えば、係止ハンドル４３０４から軸線４３０５に沿って伸張し、対応するブラケットレール４０８８のスロット４３１２および対応する解放ゲート４１２０を貫通する。シャフト４３０６は、例えば、軸線４３０５に沿って、対応する解放ゲート４１２０からもう一方の解放ゲート４１２０まで伸びて、もう一方の解放ゲート４１２０およびこの解放ゲートに対応するブラケットレール４０８８のスロット４３１２を貫通し、もう一方の係止ハンドル４３０４の基部４３０８に接続される（図３２において最良に示唆）。本例示的実施形態では、シャフト４３０６は、係止ハンドル４３０４による作動のもとで軸線４３０５周りを選択的に回転するように、各解放ゲート４１２０によって所定の位置に回転可能に支持される。以下にさらに詳細に説明するように、例えば、スロット４１３２がシャフト４３０６に沿って横断すると同時に、ブラケットレール４０８８が枢動ボルト４１３５を軸に枢動する間も、シャフト４３０６は、ブラケットレール４０８８に対して所定の位置に留まる。
【０１１１】
図３５および図３６に示すように、各スロット４１３２は、例えば、枢動ボルト４１３５を軸とする支持ブラケット４０２４の枢動運動に相補的な曲率Ｒを画定する。各係止ハンドル４３０４がアンロック位置にある場合、各スロット４３１２がシャフト４３０６を受け入れて曲率Ｒに沿って横断できるようにすることで、支持ブラケット４０２４は、枢動（図３６では反時計回り）する。シャフト４３０６とスロット４３１２との横断についての説明は、シャフト４３０６とスロット４３１２との相対運動を意味し、本例示的実施形態では、シャフト４３０６が静止した状態で、スロット４３１２がシャフト４３０６に対して曲率Ｒに沿って移動するように、支持ブラケット４０２４が枢動ボルト４２３５を軸に枢動されることを意図している。 しかし、シャフト４３０６が支持ブラケット４０２４と共に枢動してもよく、スロット４３１２が静止していてもよい。係止ハンドル４３０４のいずれか一方がロック位置にある場合は、シャフト４３０６は、以下にさらに詳細に説明するように、対応するスロット４３１２を横断することはできない。
【０１１２】
図３７および図３８に示す例示的実施形態では、スロット４３１２はロックホーム４３１４と、ロックホーム４３１４から伸張して曲率Ｒを画定する枢動経路４３１６とを備える。シャフト４３０６は、例えば、軸線４３０５に沿った断面が非対称であり、実施形態としては豆形となっている。ロックホーム４３１４は、シャフト４３０６が内部に納められたときに（図３５および図３６に示唆されるとおり）、軸線４３０５を中心に、ロックおよびアンロック位置間でシャフト４３０６が回転するのを可能にするように形成されており、また枢動経路４３１６は、係止ハンドル４３０４とシャフト４３０６とがアンロック位置にあるとき、曲率Ｒに沿ってシャフト４３０６が横断することができるが、軸線４３０５を中心に回転することはできない形態となるように形成されている。
【０１１３】
いくつかの実施形態では、シャフト４３０６とスロット４３１２とは、枢動ボルト４１３５を中心とした支持ブラケット４０２４の枢動を防止するために、スロット４３１２に対してシャフト４３０６が特定の角度位置にある場合には、シャフト４３０６およびスロット４３１２の相対横断を制限するように、かつスロット４３１２に対してシャフト４３０６が他の特定の角度位置にある場合には、枢動ボルト４１３５を中心とした支持ブラケット４０２４の枢動を可能にするために、シャフト４３０６およびスロット４３１２の相対横断を可能にするように、任意の適切な形状、大きさ、および／または配置を有することができる。例えば、いくつかの実施形態では、限定されるものではないが、シャフト４３０６は半円形断面を有し、かつ／またはロック本体４３１４は回転経路４３１６の曲率Ｒに沿って中間に配置され、かつロック本体４３１４の位置に対していずれかの方向に（時計回りに、かつ反時計回りに）、枢動ボルト４１３５を中心に支持ブラケット４０２４が回転することをある程度可能にすることができる。
【０１１４】
図３７および図３８に示す例示的実施形態では、シャフト４３０６の断面は、幅ｗと幅ｎとを規定し、幅ｗは幅ｎより大きい。スロット４３１２のロックホーム４３１４部分は、例えば、シャフト４３０６がロックホーム４３１４に納められたときに、シャフト４３０６の回転を可能にするように、幅ｗ以上となる径を有する大きさとなっている。枢動経路４３１６は、例えば、シャフト４３０６がアンロック位置にある場合には並進できるように、シャフト４３０６の幅ｎに相補的となる大きさおよび形状となり、シャフト４３０６がロック位置にある場合には、シャフト４３０６の回転経路４３１６への進入と並進ができないように、シャフト４３０６の幅ｗに非相補的となる大きさおよび形状になる。例えば、いくつかの実施形態では、限定されるものではないが、シャフト４３０６がアンロック位置にある場合に限り、シャフト４３０６の枢動経路４３１６への進入と並進とを可能にするように、枢動経路は幅ｗより狭く、幅ｎ以上の広さとなる。
【０１１５】
図３５および図３７に示すように、シャフト４３０６がロック本体４３１４に納められてロック位置にある場合、反時計回りに支持ブラケット４０２４を枢動させようとすると、スロット４３１２を画定している面とシャフト４３０６との接触によって、すなわちロック本体４３１４と枢動経路４３１６との間に形成される遷移縁部４３２０との抑制的接触によって妨げられる。図３６および図３８に示すように、シャフト４３０６がアンロック位置に向かって回転するとき、支持ブラケット４０２４の枢動によって遷移縁部４３２０とシャフト４３０６との間の抑制的接触を招くことのないように、かつ枢動経路４３１６の曲率Ｒに沿ったスロット４３１２に対するシャフト４３０６の進入および移動が可能となるように、したがって支持ブラケット４０２４の枢動が可能となるように、シャフト４３０６の幅ｎは枢動経路４３１６と位置合わせされている。
【０１１６】
図３３および図３４を再度簡潔に参照すると、例えば、回転ロックアセンブリ４３０２は、解放防止を調整的に行うための翼４３２２を備える。翼４３２２は、係止ハンドル４３０４から突出する（図３３および図３４の姿勢において下方方向に）シートとして形成されている。翼４３２２は、例えば、係止ハンドル４３０４の回転平面内に延在しており、かつ少なくとも傾斜アセンブリ４１１８のアンロックに際して、支持ブラケット４０２４を取付棒８６から解放する傾斜部４０９４の動作に妨害を与えている。したがって、例示的実施形態では、翼４３２２は、傾斜アセンブリ４１１８がアンロックされている間に、傾斜部４０９４の解放を防止するように構成されている。
【０１１７】
図３４に示すように、枢動ボルト４１３５を中心とした支持ブラケット４０２４の枢動を可能にするために、係止ハンドル４３０４がアンロック位置に配置された場合に、図面では、翼４３２２は傾斜部４０９４のハンドル４１０９が後退位置に向かうのを（図３４の配向において右側に、ブラケットレール４０８８から離間して）阻止するように構成されている。したがって、取付棒８６との係合から係止ピン４１０４が後退するのを可能にする、安全ラッチアセンブリ３２００の動作下にあっても、係止ハンドル４３０４がアンロック位置にある場合、翼４３２２はこの動作を妨害する。図３３に示すように係止ハンドル４３０４がロック位置にある場合、翼４３２２は、取付棒８６との係合から係止ピン４１０４を後退させるために、ハンドル４１０９が後退位置（ダッシュ線で示されている）に向かう動作から解放される。
【０１１８】
同様に、図３３に示唆されるとおり、取付棒８６から係止ピン４１０４を退避させる（ダッシュ線で示されている）ハンドル４１０９の動作の際、ハンドル４１０９は係止ハンドル４３０４の回転平面内に延在し、係止ハンドル４３０４がアンロック位置に向かって回転するのを防止している。したがって、本実施形態は、傾斜部４０９４の係合が解除（係止ピン４１０４が後退位置にある）された状態で傾斜アセンブリ４１１８のロック解除を防止する構成を含む。
【０１１９】
図３５および図３６を参照すると、回転ロックアセンブリ４３０２は、例えば、係止ハンドル４３０４がロック位置にあるかどうかを伝達するフィードバックシステム４３２４を備える。フィードバックシステム４３２４は、例えば、ボール戻り止め４３２６を備え、このボール戻り止め４３２６は、係止ハンドル４３０４との係合のために、ブラケットレール４０８８から弾性的に突出するためのばね荷重を有する形態で、ブラケットレール４０８８に取り付けられている。図３６に最良に示されているように、係止ハンドル４３０４は、例えば、凹状に、ボール戻り止め４３２６に相補的に形成され、かつ係止ハンドル４３０４がロック位置にある場合に、ボール戻り止め４３２６を収容するように構成された受け部４３２８を備える（図３５に示唆されるとおり）。
【０１２０】
例示的実施形態では、ボール戻り止め４３２６と受け部４３２８とは、相互間で傾斜したスライドが可能となるように相補的球状となっている。ボール戻り止め４３２６が受け部４３２８内に収容されると、係止ハンドル４３０４の回転を可能にするように、ボール戻り止め４３２６をブラケットレール４０８８内に押し込むために優勢となる力をばね荷重が付与する。係止ハンドル４３０４が回転すると、受け部４３２８とボール戻り止め４３２６との間でくさび作用が生じて、ボール戻り止め４３２６をばね荷重に対して、ブラケットレール４０８８に向かって押し込み、かつ係止ハンドル４３０４がアンロック位置に向かって回転するのを可能にする。受け部４３２８からのボール戻り止め４３２６の解放が使用者に伝達され、すなわちこの解放は、係止ハンドル４３０４の回転抵抗が突然解放されることで、使用者が自身の手に感じ取ることができるものである。同様に、係止ハンドル４３０４がロック位置に向かって回転することにより、ボール戻り止め４３２６がばね荷重下で受け部４３２８に伸びるように、押し込まれたボール戻り止め４３２６間に整合が生じる。ボール戻り止め４３２６の受け部４３２８への収容は、係止ハンドル４３０４の回転に対する突然の抵抗として、使用者に伝達される。ボール戻り止め４３２６が収容されると、係止ハンドル４３０４がロック位置から外れて意図しない回転をする状態に軽い抵抗をもたらす。いくつかの実施形態では、ボール戻り止め４３２６と受け部４３２８とは、任意の適切な相補的形状を有していてもよい。フィードバックシステム４３２４により、係止ハンドル４３０４のロック位置での保持に関して伝達が行われ、かつ／または係止ハンドル４３０４がロック位置から意図せず移動してしまうのが阻止される。
【０１２１】
本開示は、特徴間の相補的かつ／または非相補的相互作用を含む。いくつかの実施形態では、相補的かつ／または非相補的特徴物は、逆の位置に配置され、代替的かつ／または非相補的形状をそれぞれ有し、かつ／または必要に応じて、適切な相補的および／または非相補的関係を構築する他の構成を有する。いくつかの実施形態では、コネクタ２０のキャッチアセンブリへの取付けを収容しやすくするための支持ブラケットの回転における角度βは、約１度〜約３５度の範囲内であり、またいくつかの実施形態では、約１５度となっている。
【０１２２】
以上、特定の例示的実施形態を詳細に説明してきたが、以下の特許請求の範囲において記載かつ定義されている、本開示の範囲および趣旨を逸脱しない範囲で様々な変更、改良が可能である。
【図１】
2018020093.tif 000003
【図２】
2018020093.tif 000004
【図３】
2018020093.tif 000005
【図４】
2018020093.tif 000006
【図５】
2018020093.tif 000007
【図６】
2018020093.tif 000008
【図７】
2018020093.tif 000009
【図８】
2018020093.tif 000010
【図９】
2018020093.tif 000011
【図１０】
2018020093.tif 000012
【図１１】
2018020093.tif 000013
【図１２】
2018020093.tif 000014
【図１３】
2018020093.tif 000015
【図１４】
2018020093.tif 000016
【図１５】
2018020093.tif 000017
【図１６】
2018020093.tif 000018
【図１７】
2018020093.tif 000019
【図１８】
2018020093.tif 000020
【図１９】
2018020093.tif 000021
【図２０】
2018020093.tif 000022
【図２１】
2018020093.tif 000023
【図２２】
2018020093.tif 000024
【図２３】
2018020093.tif 000025
【図２４】
2018020093.tif 000026
【図２５】
2018020093.tif 000027
【図２６】
2018020093.tif 000028
【図２７】
2018020093.tif 000029
【図２８】
2018020093.tif 000030
【図２９】
2018020093.tif 000031
【図３０】
2018020093.tif 000032
【図３１】
2018020093.tif 000033
【図３２】
2018020093.tif 000034
【図３３】
2018020093.tif 000035
【図３４】
2018020093.tif 000036
【図３５】
2018020093.tif 000037
【図３６】
2018020093.tif 000038
【図３７】
2018020093.tif 000039
【図３８】
2018020093.tif 000040
【外国語明細書】
2018020093000001.pdf